(57)【要約】本発明は、陰イオン両親媒性ポリマーを含有する組成物から溶媒が蒸発することによって生じる付着性ポリマー被膜を、硬質表面から除去するのを促進する方法に関し、この方法は、組成物中にリン酸エステル界面活性剤を導入し、前記被膜が付着した表面から前記被膜を洗浄することを含む。【特許請求の範囲】
【請求項１】
陰イオン両親媒性ポリマーを含有する水性組成物から溶媒が蒸発する際にこのポリマーのポリマー被膜が形成された表面を洗浄する方法であって、この方法が次の工程：
（ａ）前記組成物の調製の際に前記組成物中にリン酸エステル界面活性剤を導入すること、及び
（ｂ）前記硬質表面を洗浄性組成物で洗浄して実質的に前記ポリマー被膜を取り除くこと、を含む。
【請求項２】
前記表面が、ガラス及び金属から成る群から選択される請求項１に記載の方法。
【請求項３】
前記表面が金属である請求項２に記載の方法。
【請求項４】
前記表面がスチールである請求項３に記載の方法。
【請求項５】
前記表面がステンレスチールである請求項４に記載の方法。
【請求項６】
前記組成物が過酸化水素を含み、酸性ｐＨを有する請求項５に記載の方法。
【請求項７】
前記陰イオン両親媒性ポリマーがアクリレートベースである請求項１に記載の方法。
【請求項８】
前記ポリマーが、次から成る群：
ａ）アクリレート／ベヘネス−２５メタクリレートコポリマー；
ｂ）アクリレート／Ｃ１０〜Ｃ３０アルキルアクリレート架橋ポリマー；
ｃ）アクリレート／セテス−２０メタクリルコポリマー；
ｄ）アクリレート／ステアレス−２０メタクリルコポリマー、及びこれらの混合物から選択される請求項７に記載の方法。
【請求項９】
陰イオンの両親媒性ポリマー及び酸化剤を含有する水性の酸性組成物を製造、移送及び保存する際に使用されるステンレス表面であって、この上に前記ポリマーが付着性被膜を形成している表面を洗浄する方法であって、前記方法が次の工程：
（ａ）式Ｉのリン酸エステル界面活性剤を導入すること、：
【化１】
2004527604.tif 000006
（式中、Ｒ、Ｒ1及びＲ2は、水素、約１〜約２２個の炭素を有するアルキル、又は約１〜約２２個の炭素を有し、約１〜約２５モルのエチレンオキシドを有するアルコキシル化アルキルであってよく、ただしＲ、Ｒ1及びＲ2の少なくとも１つは、上記で定義されるアルキル又はアルコキシル化アルキルであるが、このアルキル又はアルコキシル化アルキル基は少なくとも６個のアルキル炭素を有する）及び
（ｂ）前記金属表面を洗浄性組成物で洗浄して実質的に前記被膜を取り除くこと、を含む。
【請求項１０】
前記陰イオン両親媒性ポリマーが、次から成る群：
ａ）アクリレート／ベヘネス−２５メタクリレートコポリマー；
ｂ）アクリレート／Ｃ１０〜Ｃ３０アルキルアクリレート架橋ポリマー；
ｃ）アクリレート／セテス−２０メタクリルコポリマー；
ｄ）アクリレート／ステアレス−２０メタクリルコポリマー、及びこれらの混合物から選択される請求項９に記載の方法。
【請求項１１】
前記ポリマーが、アクリレート／ベヘネス−２５メタクリレートコポリマー、アクリレート／ステアレス−２０メタクリレートコポリマー及びこれらの混合物から成る群から選択される請求項１０に記載の方法。
【請求項１２】
前記組成物がアクリレートコポリマーをさらに含む請求項１１に記載の方法。
【請求項１３】
前記ポリマーがアクリレート／ステアレス−２０メタクリレートコポリマーである請求項１２に記載の方法。
【請求項１４】
前記酸化剤が過酸化水素である請求項１０に記載の方法。
【請求項１５】
前記洗浄性組成物が、約８〜約１０のｐＨを有するアルカリ性溶液である請求項９に記載の方法。
【請求項１６】
前記洗浄性組成物を、約２０〜４０ｐｓｉｇの穏やかな圧力下で適用する請求項１５に記載の方法。
【請求項１７】
組成物の重量を基準として：
（ａ）約１％〜約１５％の過酸化水素酸化剤；
（ｂ）約０．１％〜１５％のリン酸エステル界面活性剤；
（ｃ）約０．１％〜約１０％の陰イオン両親媒性ポリマー；及び
（ｄ）水、
を含む顕色剤組成物であって、前記組成物が酸性ｐＨを有し、前記組成物の蒸発時に形成されるポリマー被膜が、この被膜が付着した表面からより容易に取り除かれる顕色剤組成物。
【請求項１８】
前記陰イオン両親媒性ポリマーが、次から成る群：
ａ）アクリレート／ベヘネス−２５メタクリレートコポリマー；
ｂ）アクリレート／Ｃ１０〜Ｃ３０アルキルアクリレート架橋ポリマー；
ｃ）アクリレート／セテス−２０メタクリルコポリマー；
ｄ）アクリレート／ステアレス−２０メタクリルコポリマー及びこれらの混合物から選択される請求項１７に記載の組成物。
【請求項１９】
前記ポリマーが、アクリレート／ベヘネス−２５メタクリレートコポリマー、アクリレート／ステアレス−２０メタクリレートコポリマー及びこれらの混合物から成る群から選択される請求項１８に記載の組成物。
【請求項２０】
前記組成物がアクリレートコポリマーをさらに含む請求項１９に記載の組成物。
【請求項２１】
前記ポリマーがアクリレート／ステアレス−２０メタクリレートコポリマーである請求項２０に記載の組成物。
【請求項２２】
前記ｐＨが約２．５〜約６．５である請求項１８に記載の組成物。
【請求項２３】
Ｃ2〜Ｃ6一価アルコール及び多価アルコールから成る群から選択される有機共溶媒をさらに含む請求項１７に記載の組成物。
【請求項２４】
前記リン酸エステル界面活性剤が、Ｃ１２〜１６パレス−６ホスフェート、Ｃ８〜１０アルキルエチルホスフェート、Ｃ９〜１５アルキルホスフェート、セテアレス−２ホスフェート、セテアレス−４ホスフェート、セテアレス−５ホスフェート、セテアレス−１０ホスフェート、セテス−８ホスフェート、セテス−１０ホスフェート、セチルホスフェート、Ｃ６〜１０パレス−４ホスフェート、Ｃ１２〜１３パレス−１０ホスフェート、Ｃ１２〜１５パレス−２ホスフェート、Ｃ１２〜１５パレス−３ホスフェート、Ｃ１２〜１５パレス−６ホスフェート、Ｃ１２〜１５パレス−８ホスフェート、Ｃ１２〜１５パレス−１０ホスフェート、Ｃ１２〜１６パレス−６ホスフェート、ＤＥＡ−セテアレス−２ホスフェート、ＤＥＡ−セチルホスフェート、ＤＥＡ−オレス−３ホスフェート、ＤＥＡ−オレス−５ホスフェート、ＤＥＡ−オレス−１０ホスフェート、ＤＥＡ−オレス−２０ホスフェート、デセス−９ホスフェート、デセス−４ホスフェート、及びデセス−６ホスフェートから成る群から選択される請求項１７に記載の組成物。
【発明の詳細な説明】
【技術分野】
【０００１】
本発明は、陰イオン両親媒性ポリマーを含有する組成物から溶媒が蒸発することによって生じる付着性ポリマー被膜を、硬質表面から除去するのを促進する方法に関し、この方法は、組成物中にリン酸エステル界面活性剤を導入し、前記被膜が付着した表面から前記被膜を洗浄することを含む。具体的に本発明は、酸化剤；陰イオン両親媒性ポリマー及び１以上のリン酸エステル界面活性剤を含有する組成物に関し、この組成物はステンレススチール設備を使用して製作される。
【背景技術】
【０００２】
酸化染料前駆体は、過酸化水素の存在下で酸化カップリングを起こし、繊維の外表面に着色分子を形成する無色化合物である。このような前駆体、すなわち主要中間体及びカップラーは、毛髪を永久に着色するための化粧品のベースとなる。
【０００３】
実際には酸化毛髪染料製品は、２つの部分−溶媒系に染料前駆体を含む毛髪染料組成物、及び酸化剤、特に過酸化水素を含む顕色剤組成物で構成される。第１及び第２の部分は毛髪に適用する直前に混合され、その際に酸化剤の存在によって前駆体が酸化的カップリングをすることができる。
【０００４】
毛髪に適用される時の最終混合物は、毛髪に留まり、適用の間に流れたり、滴ったりすることがないように、好ましくはチキソトロピー粘度率を有する増粘化液体でなければならない。多くの種々の増粘系がこの目的のために使用されている。この目的のために使用される増粘剤の１種は陰イオン両親媒性ポリマーであり、これは酸性の過酸化水素顕色剤組成物に含まれ得る。酸性ｐＨにおいて、前記陰イオン両親媒性ポリマーは酸性形態であり、前記過酸化物顕色剤組成物は薄い自由流動液体である。前記毛髪染料及び過酸化物顕色剤組成物を混合すると前記混合物のｐＨはアルカリ性になり、ポリマーは中和されて、増粘化が起こる。
【０００５】
このようなポリマーを増粘化酸化染料に使用することを記載した多数の特許が登録されており、それには次のものが含まれる：米国特許第４，７７６，８５５号；米国特許第５，３９３，３０５号；米国特許第５，３７６，１４６号；米国特許第５，９７６，１９５号；米国特許第５，９８８，２９５号；米国特許第６，０７４，４３９号；及び米国再発行特許第３３，７８６号であり、これらは全て本明細書に参考として組み込まれる。
【０００６】
好適な既知の陰イオン性増粘化ポリマーとしては、例えば、アクリレート／ベヘネス−２５メタクリレートコポリマー、アクリレート／ステアレス−２０メタクリレートコポリマー、及びステアレス−１０アリルエーテル／アクリレートコポリマーが挙げられる。
【０００７】
酸化毛髪染料製品組成物、すなわち第１部分としての染料組成物及び第２部分としての顕色剤組成物の混合物を含む組成物を増粘化するこの方法は、個々の第１部分毛髪染料組成物及び第２部分顕色剤組成物がそれぞれ極めて水性であることができ、すなわち高粘度であることも特定のレオロジーを有することも必要とされないので有利である。それ故に、得られる極めて水性の増粘化した毛髪染料製品組成物は、高い染色効率を有することを特徴とする。
【発明の開示】
【発明が解決しようとする課題】
【０００８】
不都合なことに、前記陰イオン両親媒性ポリマーは、製造時に使用される設備（例えば、混合槽、保存槽など）上に付着性のポリマー被膜を形成する傾向にある。このような被膜は取り除くのが困難であり、広範囲にわたる洗浄処置を必要とする。例えば、熱アルカリ溶液の使用は、ある程度の成果を出している。例えば過酸化水素組成物を配合するのにステンレススチール容器を使用する場合、このような容器を擦り洗いすると容器表面に傷ができるため次に使用する前に容器表面を再び保護しなければならず、とりわけやっかいな問題になる。
【０００９】
顕色剤組成物は、種々の界面活性剤、例えばセテアレス−２０及びノノキシノール−４のようなポリエトキシル化アルコール及びフェノール、並びにスルフェート化ヒマシ油のような陰イオン性界面活性剤を含むことが知られている。このような界面活性剤が前記陰イオン両親媒性ポリマー含有組成物中に存在する場合であっても、前記ポリマーは付着性のポリマー被膜を形成する傾向にあり、製造容器の洗浄が深刻な問題になっている。
【課題を解決するための手段】
【００１０】
本発明に基づき、陰イオン両親媒性ポリマーを含有する組成物の製作過程でこのようなポリマーと接触し、ポリマー被膜が形成された硬質表面、例えばガラス及び金属の洗浄を促進するための方法を提供する。被膜は、前記陰イオン両親媒性ポリマーが導入されている組成物を製作する過程で溶媒、典型的には水又は水溶性の有機溶媒混合物が蒸発する際に、表面に付着するポリマー残渣が残留することによって形成される。製作される前記組成物は混合工程を常に必要とするため、ポリマー溶液又は分散液は混合容器の壁と接触することになり、容器が洗浄される前にポリマー被膜が形成されることが多い。同様に、配管、攪拌器、保存槽、ポンプ及び化学製造プラントに通例見られるその他の設備は、溶解又は分散の際にポリマーと接触し、続いて溶媒が蒸発すると残留性のポリマー被膜が残る。さらに、例えばポリマー溶液を、ポリマー含有組成物を使用中にマンホールを通して容器にずさんに移すと起こり得る流出によって、外部表面及び土台などにポリマー被膜が生じる。これは、陰イオン両親媒性ポリマー自体を製作中、特に販売前の陰イオン性ポリマーの水溶液又は水性分散液の保存中にも起こり得る。
【００１１】
驚くべきことに発明者らは、前記陰イオン両親媒性ポリマーの溶液及び分散液と接触する表面上にこのポリマーが付着性のポリマー被膜を形成する傾向を、前記溶液又は分散液中にリン酸エステル界面活性剤を存在させることで顕著に低下できることを見出した。
【００１２】
硬質表面、特に金属表面に取り除くのが困難な、被膜を形成するポリマーは陰イオン両親媒性ポリマーであり、最も典型的にはアクリル酸ベースの両親媒性ポリマーである。前記陰イオン両親媒性ポリマーはホモポリマー又はコポリマーであってもよく、直鎖、非直鎖であってもよく、又は架橋していてもよい。
【００１３】
前記リン酸エステル界面活性剤は次の一般構造を有する：
【００１４】
【化１】
2004527604.tif 000002
（式中、Ｒ、Ｒ1及びＲ2は水素、１〜約２２個の炭素、好ましくは約１２〜約１８個の炭素を有するアルキル、又は１〜約２２個の炭素、好ましくは約１２〜１８個の炭素を有し、１以上、好ましくは約２〜約２５、最も好ましくは２〜１２モルのエチレンオキシドを有するアルコキシル化アルキルであってよく、ただしＲ、Ｒ1及びＲ2の少なくとも１つは、上記で定義したアルキル又はアルコキシル化アルキルであるが、このアルキル又はアルコキシル化アルキル基中においては少なくとも６個のアルキル炭素を有する。）
本発明によれば、陰イオン両親媒性ポリマーを含有する組成物、特に水性組成物の製作、移送、保存中に使用され、ポリマーが付着性被膜を形成している表面、特に金属表面、具体的に槽、配管、攪拌器、ポンプなどを洗浄する方法を提供し、この方法は、前記組成物中にリン酸エステル界面活性剤を含むこと、及び表面を洗浄してポリマー被膜を実質的に取り除くことを含む。
【００１５】
本発明の別の態様においては、陰イオン両親媒性ポリマーが増粘剤として使用される水性組成物を提供し、この水性組成物はリン酸エステル界面活性剤をさらに含み、それによって組成物の蒸発乾燥によって硬質表面上に生じるポリマーの付着性被膜を前記表面からより容易に除去できる。それ故に、好適な組成物は前記陰イオン両親媒性ポリマー；前記リン酸エステル界面活性剤及び水を含む。特に前記リン酸エステル界面活性剤が存在すると、金属、最も具体的にはステンレススチール表面からの前記組成物の除去が促進される。
【００１６】
ステンレススチールが、前記陰イオン両親媒性ポリマー含有組成物を製造する施設における処理設備用の構築材料として使用される場合、本発明は最も有利である。これは、前記陰イオン両親媒性ポリマーの除去し難い被膜を激しく除去すると、設備、特に混合槽のステンレスチール表面を損傷し得るからである。このような損傷により、表面を再び保護することが必要となる場合がある。それ故に、組成物の製作プロセス中又はプロセス後に形成されるいかなるポリマー被膜の除去も促進するために、前記陰イオン両親媒性ポリマー含有組成物中に前記リン酸エステル界面活性剤を導入することにより、ステンレススチール表面を損傷する傾向を低下させる。
【００１７】
このような利益は、前記被膜形成性の陰イオン両親媒性ポリマーを含有するいかなる製品組成物の製作にも重要であり、ステンレススチールを使用する場合特に重要である。このような例の１つとしては、前記酸化染料前駆体の毛髪染料組成物と、酸化剤、典型的には過酸化水素を含有する顕色剤組成物とを含む酸化毛髪染料製品を製作する場合が挙げられる。ステンレススチールが過酸化水素及び多くの他の酸化剤用に選択された構築材料である場合に、前記顕色剤組成物の製作に陰イオン両親媒性ポリマーを導入できる。
【００１８】
本発明はさらに、適切な溶媒の溶液又は分散液として被膜形成性の陰イオン両親媒性ポリマーを含有する組成物に関する。具体的に本発明は、酸化毛髪染料製品用の結合タイプ増粘剤として陰イオン両親媒性ポリマーを含有するような組成物に関し、このポリマーは前記製品の顕色剤組成物中に存在する。
【発明を実施するための最良の形態】
【００１９】
本発明は、ガラス又は金属のような硬質表面、特に金属表面、とりわけステンレススチール表面を洗浄する方法に関し、この表面上には、ポリマーが溶解又は分散した溶媒の蒸発によって生じる陰イオン性ポリマーのポリマー被膜が形成されている。本発明によれば、組成物の製作過程でリン酸エステル界面活性剤を導入することにより、前記被膜の除去を促進できる。
具体的に本発明の方法は、激しい洗浄中に損傷され、それによって表面の再保護が必要となるようなステンレススチール表面の洗浄に関する。
【００２０】
（陰イオン両親媒性ポリマー）
前記陰イオン両親媒性ポリマーは、通常ポリアクリレートホモポリマー及びコポリマー又はポリメタクリレートホモポリマー及びコポリマーであり、このようなポリマーのアルカリ金属塩又はアンモニウム塩であってもよい。このようなポリマーの例としては、本明細書に参考として組み込まれる国際化粧品成分辞書及びハンドブック（International Cosmetic Ingredient Dictionary and Handbook）（英語版、２０００年）の化学命名法を使用して命名された次のものが言及される：
アクリレート／ベヘネス−２５メタクリレートコポリマー
アクリレート／Ｃ１０〜Ｃ３０アルキルアクリレート架橋ポリマー
アクリレート／セテス−２０メタクリレートコポリマー
アクリレート／エチルヘキシルアクリレートコポリマー
アクリレート／ラウレス−２５メタクリレートコポリマー
アクリレート／パルメス−２５アクリレートコポリマー
アクリレート／パルメス−２５イタコネートコポリマー
アクリレート／ステアレス−５０アクリレートコポリマー
アクリレート／ステアレス−２０イタコネートコポリマー
アクリレート／ステアレス−２０メタクリレートコポリマー
カリウムアクリレート／Ｃ１０〜Ｃ３０アルキルアクリレート架橋ポリマー
ナトリウムアクリレート／Ｃ１０〜Ｃ３０アルキルアクリレート架橋ポリマー
ステアレス−１０アリルエーテル／アクリレートコポリマー
本発明の好ましい実施形態において、本発明の組成物は、酸化毛髪染料製品に使用するための酸化剤を含有する酸性顕色剤組成物である。もちろん酸性組成物においては、ポリマー塩を利用しない。
【００２１】
本明細書で使用する時、「毛髪染料組成物」と言う用語は、前記顕色剤組成物と混合される前の、主要中間体及びカップラー酸化染料を含有する組成物のことを言う。「顕色剤組成物」と言う用語は、前記毛髪染色組成物と混合する前の、酸化剤、特に過酸化水素を含有する組成物のことを言う。「毛髪染料製品」又は「毛髪染料系」と言う用語は、混合前の毛髪染色組成物及び顕色剤組成物の組み合わせのことを互換的に言い、コンディショナー製品及び使用説明書をさらに含んでもよく、このような製品又は系は、キットとして包装された状態で提供されることが多い。「毛髪染料製品組成物」と言う用語は、毛髪染料組成物と顕色剤組成物とを混合することによって形成される組成物のことを言う。
【００２２】
陰イオン両親媒性ポリマーは、このような酸化毛髪染料製品において増粘剤として使用される。前記陰イオン両親媒性ポリマーは、酸性ｐＨを有する前記顕色剤組成物中に組み入れられる。酸性ｐＨでは前記ポリマーは溶媒中に溶解又は分散し、一方アルカリ性ｐＨでは非イオン性界面活性剤の存在下で前記ポリマーはゲル化して前記組成物を増粘化する。これは、顕色剤組成物を毛髪染料組成物と混合して毛髪染料製品組成物を形成する際に起こる。本明細書に参考として組み込まれる、技術パンフレットＦＣ−３１０ａ、パーソナルケア用アクリン（Aculyn）増粘剤及び安定剤、ローム・アンド・ハース社（１９９６年５月）、並びに世界的な化粧品及び衛生品製作（Cosmetic and Toiletries Manufacture Worldwide）、「アクリレート／ベヘネス−２５メタクリレートコポリマー（アクリン（登録商標）２８）」、第１０巻、２５０〜６９頁を参照のこと。
【００２３】
毛髪染料製品において増粘剤としての使用に好ましい陰イオン両親媒性ポリマーは次のものである：
Ａ）アクリレート／ベヘネス−２５メタクリレートコポリマーであって、メタクリル酸及びベヘネス−２５のエステルと、アクリル酸、メタクリル酸又はそれらの単純エステルの１つのうちの１以上のモノマーとのコポリマーであり、アクリン２８としてローム・アンド・ハース社から販売されているコポリマー；
Ｂ）アクリレート／Ｃ１０〜Ｃ３０アルキルアクリレート架橋ポリマーであって、Ｃ10〜Ｃ30アクリレートと、アクリル酸、メタクリル酸、又はそれらの単純エステルの１つのうちの１以上のモノマーとのコポリマーであり、スクロースのアリルエーテル若しくはペンタエリスリトールのアリルエーテルで架橋しており、商品名カーボポール１３４２、カーボポール１３８２、カーボポールＥＴＤ２０２０、ペムレン（Pemulen）ＴＲ−１及びペムレンＴＲ−２として全てＢＦグッドリッチ社（B.F.Goodrich）から販売されている架橋ポリマー；
Ｃ）アクリレート／セレス−２０メタクリルコポリマーであって、メタクリル酸及びセレス−２０のエステルと、アクリル酸、メタクリル酸又はそれらの単純エステルのうちの１以上のモノマーとから形成されるコポリマー；
Ｄ）アクリレート／ステアレス−２０メタクリルコポリマーであって、メタクリル酸及びステアレス−２０のエステルと、アクリル酸、メタクリル酸又はそれらの単純エステルの１つのうちの１以上のモノマーとのコポリマーであって、商品名アクリン２２としてローム・アンド・ハース社から販売されているコポリマー。
【００２４】
（リン酸エステル界面活性剤）
本発明の組成物の第２の必須成分は、前記リン酸エステル界面活性剤である。陰イオン両親媒性ポリマーを含有する組成物中に前記リン酸エステル界面活性剤を導入することによって、溶媒が蒸発する際に硬質表面に形成される前記陰イオン性ポリマーの被膜をより容易に除去できることを見出した。
【００２５】
本発明の組成物中に導入するのに好適なリン酸エステルは、次の式を有する：
前記リン酸エステル界面活性剤は次の一般構造：
【００２６】
【化２】
2004527604.tif 000003
を有し、（式中、Ｒ、Ｒ1及びＲ2は水素、１〜約２２個の炭素、好ましくは約１２〜約１８個の炭素を有するアルキル、又は１〜約２２個の炭素、好ましくは約１２〜１８個の炭素を有し、１以上、好ましくは約２〜約２５、最も好ましくは２〜１２モルのエチレンオキシドを有するアルコキシル化アルキルであってよく、ただしＲ、Ｒ1及びＲ2の少なくとも１つは、上記で定義したアルキル又はアルコキシル化アルキルであるが、このアルキル又はアルコキシル化アルキル基は少なくとも６個のアルキル炭素を有する。）
式中、Ｒ1及びＲ2が水素であり、Ｒが１０〜１８個の炭素を有するアルキル及び１０〜１８個の炭素を有し、２〜１２モルのエチレンオキシドを有するアルコキシル化脂肪族アルコールから選択されるようなモノエステルが好ましい。好ましいリン酸エステル界面活性剤のうち、例としてはＣ１２〜１６パレス−６ホスフェート、Ｃ８〜１０アルキルエチルホスフェート、Ｃ９〜１５アルキルホスフェート、セテアレス−２ホスフェート、セテアレス−４ホスフェート、セテアレス−５ホスフェート、セテアレス−１０ホスフェート、セテス−８ホスフェート、セテス−１０ホスフェート、セチルホスフェート、Ｃ６〜１０パレス−４ホスフェート、Ｃ１２〜１３パレス−１０ホスフェート、Ｃ１２〜１５パレス−２ホスフェート、Ｃ１２〜１５パレス−３ホスフェート、Ｃ１２〜１５パレス−６ホスフェート、Ｃ１２〜１５パレス−８ホスフェート、Ｃ１２〜１５パレス−１０ホスフェート、Ｃ１２〜１６パレス−６ホスフェート、ＤＥＡ−セテアレス−２ホスフェート、ＤＥＡ−セチルホスフェート、ＤＥＡ−オレス−３ホスフェート、ＤＥＡ−オレス−５ホスフェート、ＤＥＡ−オレス−１０ホスフェート、ＤＥＡ−オレス−２０ホスフェート、デセス−９ホスフェート、デセス−４ホスフェート、及びデセス−６ホスフェートが挙げられる。
【００２７】
（溶媒）
本発明の組成物は水性であり、単独溶媒として水を含んでいてもよく、又は一価アルコール又は多価アルコールのような本質的に水溶性の有機溶媒と組合わせて水を含んでいてもよい。前記組成物は十分な量の溶媒を含有するので、前記ポリマーは前記組成物中に溶解又は組成物中に分散する。好ましくは水は前記溶媒系の主要な成分である。好ましくは溶媒は、組成物の約６０重量％〜約９３重量％、最も好ましくは約７０重量％〜約８５重量％から構成される。
【００２８】
有用な有機溶媒は、Ｃ1〜Ｃ6アルコール、及びＣ2〜Ｃ8ポリオールである。本発明の溶媒系に使用するのに特に有用なアルコールは、エチルアルコール、イソプロピルアルコール及びブチルアルコールである。特に有用な本発明の多価アルコールは、エチレングリコール、プロピレングリコール、ヘキシレングリコール及びグリセリンである。アルコールは、典型的には組成物の約０重量％〜約２５重量％含まれる。
【００２９】
（好ましい組成物）
本発明の好ましい組成物は過酸化水素を含有し、酸化毛髪染料製品において顕色剤組成物として使用される。
【００３０】
前記顕色剤組成物は組成物の重量を基準として次を含む：（ａ）約０．１％〜約１０％、好ましくは０．２％〜５％、最も好ましくは０．５％〜２．５％の陰イオン両親媒性ポリマー；（ｂ）約１％〜約１５％、好ましくは３％〜１２％、最も好ましくは３％〜９％の過酸化水素；（ｃ）約０．１％〜約１５％、好ましくは０．５％〜１０％、最も好ましくは０．５％〜５％のリン酸エステル界面活性剤及び（ｄ）溶媒。
【００３１】
過酸化水素酸化剤を含有する前記顕色剤組成物の製作において、過酸化水素によって生じる腐食を防止するためにステンレススチール設備、具体的にはステンレススチール混合槽を使用しなければならない。
【００３２】
さらに、酸性ｐＨ、通常約２．５〜約６．５のｐＨを有する顕色剤組成物は、混合中に発泡する傾向があり、組成物の均一性を確保しなければならない。結果として、混合終了時に素早く乾燥する顕色剤組成物の薄層で槽の側壁が被覆される。得られたポリマー被膜は取り除くのが極めて困難であることが認められており、高アルカリ洗浄製品を用いることが多く、高圧力洗浄スプレーに曝す必要がある。このような処理は、混合槽のステンレススチール表面に損傷を引き起こす場合があり、再保護が必要となる。これは、顕色剤組成物が典型的にノノキシノール−２、ノノキシノール−４、Ｃ11〜Ｃ15パレス−７、Ｃ12〜Ｃ15パレス−９及びＣ12〜Ｃ15パレス−３のような非イオン性界面活性剤を含有する場合であっても変わらない。
【００３３】
前記顕色剤組成物への前記リン酸エステルの導入が、ステンレススチール側壁へのポリマー被膜の靭性を低減するのに有効であることを見出した。
【００３４】
顕色剤組成物は、好適ないずれかの酸化剤、とりわけ過酸化水素、及びその付加化合物を含む。そのため、好適な酸化剤としては、過酸化尿素、過硫酸、過ホウ酸及び過カルバミン酸のアルカリ金属塩及びアンモニウム塩、特にナトリウム塩、並びに過酸化メラミンが挙げられる。酸化剤は、好ましくは３％〜１２％（１０〜４０体積）、特に６％の過酸化水素水溶液として存在する。例えば、デナベル（deNavarre）の「化粧品の化学及び製作（The Chemistry and Manufacture of Cosmetics）」、第ＩＶ巻、８４７〜８５０頁（第２版、１９７５年）を参照のこと。
【００３５】
本発明の顕色剤組成物はまた、陰イオン両親媒性ポリマー、過酸化水素、リン酸エステル界面活性剤及び水の他に１以上の追加成分を含有していてもよい。
【００３６】
それ故に顕色剤組成物は、酸性ｐＨ、好ましくは約３〜約５．５、最も好ましくは約３．５〜約４．５の範囲のｐＨを提供するために酸性化剤を含有していてもよい。このｐＨにおいて顕色剤組成物は、好ましくは本質的にニュートン流体レオロジーを有し、約１０００ｃｐｓ未満、好ましくは約５００ｃｐｓ未満、最も好ましくは１００ｃｐｓ未満の粘度率を有する。好ましいポリマー増粘剤は、アクリン２２及びアクリン２８、並びにこれらの混合物である。アクリン２２及び２８は含合性であり、すなわちそれらの構造は、配合物中に存在する他の疎水性物質、例えば界面活性剤、粒子、染料などと含合を形成する疎水基を含有する。本発明の陰イオン両親媒性ポリマーは、陰イオン性でもなく両親媒性でもない他の高分子増粘剤、例えばアクリレートコポリマー、アクリル酸、メタクリル酸又はそれらの単純エステルの１つのうち２以上のモノマーのコポリマー（ローム・アンド・ハース社から商品名アクリン３３として；アライドコロイド社（Allied Colloids）からサルケア（Salcare）ＳＣ８１、ＢＡＳＦ社からルビマー（Luvimer）３６Ｄ及びルビマー３０Ｅ、グッドリッチ社（B.F.Goodrich）からアバルア（Avalure）ＡＣ１１５、アバルアＡＣ１１８及びアバルラＡＣ２１０として販売されている）と組合わせてもよい。ｐＨを上昇させて中和することにより、本発明の高分子増粘剤が透明な粘稠溶液に変化する。このような増粘化は、前記顕色剤が前記アルカリ性毛髪染料組成物と混合されて、約８〜約１１、好ましくは約９〜１０．５のｐＨを有する毛髪染料製品組成物を調整する際に起こる。有利なことに、アクリン２２、アクリン２８及びアクリン３３ポリマーは、過酸化物に対して安定している。最も好ましくは含合性及び非含合性ポリマーの混合物が使用される。米国特許第５，３７６，１４６を参照のこと。
【００３７】
前記顕色剤組成物は、前記リン酸エステル界面活性剤以外の界面活性剤も含んでいてもよく、この界面活性剤は、陰イオン性、非イオン性、及び両性（双極性を含む）界面活性剤から成る群から選択される。本明細書で使用する時、「界面活性剤」は陽イオン性界面活性剤又はリン酸エステル界面活性剤以外の界面活性剤を意味する。
【００３８】
（一般にヘアコンディショニング物質として含まれる陽イオン界面活性剤は、以下に別々に考慮される。）陽イオン界面剤以外の適切な界面活性剤としては、脂肪族アルコールサルフェート、エトキシル化脂肪族アルコールサルフェート、アルキルスルホネート、アルキルベンゼンスルホネート、アルキルトリメチルアンモニウム塩、アルキルベタイン、エトキシル化脂肪族アルコール、エトキシル化脂肪酸、エトキシル化アルキルフェノール、エチレン及び／又はプロピレングリコールのブロックコポリマー、グルセロールエステル、リン酸エステル、脂肪酸アルカノールアミド及びエトキシル化脂肪酸エステル、アルキルサルフェート、エトキシル化アルキルサルフェート、アルキルグリセリルエーテルスルホネート、メチルアシルタウレート、アシルイセチオネート、アルキルエトキシカルボキシレート、脂肪酸モノ−及びジエタノールアミドなどが挙げられる。
【００３９】
前記顕色剤組成物中の界面活性剤の量は、通常約０．１重量％〜約３０重量％、好ましくは約１重量％〜約１５重量％である。
【００４０】
顕色剤組成物はまたコンディショニング剤を含んでいてもよい。コンディショニング剤として好適な物質としては、シリコーン及びシリコーン誘導体；炭化水素油；モノマー性四級化合物である陽イオン性界面活性剤及び四級化されたポリマーが挙げられる。モノマー性四級化合物は、典型的には、陽イオン化合物であるが、ベタイン、及びコンディショニング効果を提供する他の両性及び双極性物質を挙げることもできる。好適なモノマー性四級化合物としては、塩化ベヘントリアルコニウム、塩化ベヘントリモニウム、塩化ステアラルコニウム及び多くの他の化合物が挙げられる。参考として組み込まれるＰＣＴ国際公開特許ＷＯ９８／２７９４１を参照のこと。四級化ポリマーは、典型的にはカチオンポリマーであるが、両性及び双極性のポリマーも挙げられる。有用なポリマーとしては、ポリクアテルニウム−４、ポリクアテルニウム−６、ポリクアテルニウム−７、ポリクアテルニウム−８、ポリクアテルニウム−９、ポリクアテルニウム−１０、ポリクアテルニウム−２２、ポリクアテルニウム−３２、ポリクアテルニウム−３９、ポリクアテルニウム−４４、及びポリクアテルニウム−４７が挙げられる。毛髪のコンディショニングに適切なシリコーンは、ジメチコーン、アモジメチコーン、ジメチコーンコポリオール及びジメチコノールである。適切なシリコーンについては参考として組み込まれた１９９９年７月１５日発行のＰＣＴ国際公開特許ＷＯ９９／３４７７０（１９９９年７月１５日発行）も参照のこと。適切な炭化水素油には鉱油も挙げられる。
【００４１】
コンディショナーは、通常、前記毛髪顕色剤組成物中に、前記毛髪染料組成物の約０．０１〜約５重量％の量で存在する。
他の任意成分としては、それらの機能目的を達成するのに有効な濃度にてＥＤＴＡのようなキレート剤及び金属イオン封鎖剤、分散剤、浸透剤などが挙げられる。
【００４２】
（硬質表面を洗浄する方法）
本発明の陰イオン両親媒性である被膜形成性ポリマー含有組成物が蒸発する際に形成されるポリマー被膜を、洗浄性組成物を用いて表面を洗浄することによって取り除く。本明細書で使用する時、洗浄性組成物は表面をすすぐための媒質としての水を含んでいてもよいが、好ましくは洗浄性活性物質の水溶液である。洗浄性活性物質には、水酸化ナトリウム、水酸化カリウム、水酸化アンモニウム（匂いのために好ましくはない）、モノ−、ジ−及びトリエタノールアミンのようなアルカリ物質；本発明のリン酸エステルを含む陰イオン性、非イオン性及び両性界面活性剤、及びこれらの相溶性混合物が含まれ得る。好ましくは、洗浄性組成物のｐＨは、アルカリ性又は中性であり、特に約８〜約１０のｐＨを有するアルカリ性である。具体的に有用な洗浄液は、５％〜１５％、好ましくは１０％水溶液の形態の市販の腐食剤含有洗浄液であるＤｕＢｏｉｓＴ−Ｏｆｆである。ＤｕＢｏｉｓＴ−Ｏｆｆ溶液は、好ましくは高温、特に約４５℃〜６５℃にて使用される。好ましくは前記洗浄性組成物は、約１５〜約６５ｐｓｉｇ、最も好ましくは約２０〜約４０ｐｓｉｇの穏やかな圧力下で被膜が除去されるまでスプレーされる。洗浄性組成物の適用は、ハケ、ブラシ又はその他の装置を用いる擦り洗いによって行われてもよい。擦り洗いは、洗浄される表面がステンレススチールの場合には好ましくない。洗浄時間は、洗浄性溶液の特性、洗浄温度、洗浄の間の時間、及び被膜の経年数に応じて変わる。一般に洗浄時間は、長期間に蓄積された被膜の場合１〜数分から２時間までである。通常被膜は、１時間未満の間に実質的に、例えば９０％以上の被膜が取り除かれる。
【００４３】
以下の実施例により本発明を説明する。本願においてパーセンテージは、特に指示がない限り全組成物の重量を基準とする。
【実施例１】
【００４４】
（実施例１〜４）
６．１５％の過酸化水素（約２０体積Ｈ2Ｏ2）；陰イオン両親媒性高分子増粘剤、ｐＨを２．５〜５にするために十分な酸性化剤、及び種々の濃度の前記リン酸エステル界面活性剤ラウレス−４ホスフェートを含有する４つの顕色剤組成物の実施例を以下の表１に示す。
【００４５】
【表１】
2004527604.tif 000004
1.アクリン２２は、３０％活性ポリマー分散液であり、アクリンは２８％活性ポリマー分散液である。
2.濃度は、「到達」基準である。
3.アクリン２８は１９〜２１％活性ポリマー分散液である。濃度は、「到達」基準である。
【００４６】
陰イオン両親媒性ポリマーを含有するこのような顕色剤においてリン酸エステルを有する利益は、金属表面上のポリマー被膜の付着性及び除去性をシミュレートする次の実験によって示される。ある量（０．５ｇ）の顕色剤溶液をステンレスプレート（７ｃｍ×２ｃｍ）に均一にスプレーし、室温にて一晩乾燥させて厚いポリマー残渣を形成する。薄いポリマー残渣を０．２ｇの顕色剤溶液を使用して製造する。次いでポリマー残渣を流速２リットル／分の水道水（３０℃）ですすぐ。すすぎを、ポリマー被膜がプレートから完全に取り除かれるまで続ける。それにかかる時間（又はすすぎ時間）を記録し、種々の顕色剤組成物におけるすすぎ時間を以下の表２に示す。表２におけるデータは、アクリン２８又はアクリン２２及びアクリン３３の混合物を含有する顕色剤組成物におけるリン酸エステルの利益を明確に示している。リン酸エステルを含まない組成物からポリマー残渣を取り除くのにかかる時間は、１２０秒を超える。リン酸エステルを含むように配合されたものは、２秒〜３０秒未満の範囲のより短時間に取り除くことができる。
【００４７】
【表２】
2004527604.tif 000005
【００４８】
本発明は酸化毛髪染色顕色剤配合物と関連させて記載されているが、本発明は、陰イオン両親媒性ポリマーを用い、所望でない被膜残渣を形成する潜在的な問題のあるあらゆる種類の配合物に適用可能である。
【国際公開パンフレット】
2004527604.tif 000007
2004527604.tif 000008
2004527604.tif 000009
2004527604.tif 000010
2004527604.tif 000011
2004527604.tif 000012
2004527604.tif 000013
2004527604.tif 000014
2004527604.tif 000015
2004527604.tif 000016
2004527604.tif 000017
2004527604.tif 000018
2004527604.tif 000019
2004527604.tif 000020
2004527604.tif 000021
2004527604.tif 000022
2004527604.tif 000023
2004527604.tif 000024
2004527604.tif 000025
2004527604.tif 000026
【国際公開パンフレット（コレクトバージョン）】
2004527604.tif 000027
【国際調査報告】
2004527604.tif 000028